(57)【要約】      （修正有）【課題】カード収容部の構成を手帳カバーの製造と同時に行い、製造の容易化を図り、安価な手帳カバーを提供する。【解決手段】手帳表紙の外側面を覆う幅Ｗ１を有するカバー本体部１の一側には、カード収容部幅Ｗ２を有する折曲片７が連続させられ、他側には表紙端部収容幅Ｗ３を有する折曲片８が連続させられた第１の帯状シート５の、前記カード収容部幅Ｗ２を有する折曲部７に、該折曲部７の外側に少し突出させて第２の帯状シート９が重ね合わされ、該第２の帯状シート９の上下中間部が前記カード収容部幅Ｗ２を有する折曲部７に溶着１２され、該カード収容部幅を有する折曲部７及び前記表紙端部収容幅Ｗ３を有する折曲部８がそれぞれ内側に折り畳まれてその上下端を溶着及び切断１５してなる手帳カバー。【選択図】図１
0003142391.tif 000002
【実用新案登録請求の範囲】
【請求項１】
手帳表紙の外側面を覆う幅を有するカバー本体部の一側には、カード収容部幅を有する折曲片が連続させられ、他側には表紙端部収容部幅を有する折曲片が連続させられた第１の帯状シートの、前記カード収容部幅を有する折曲片に、該折曲片の外側に少し突出させて第２の帯状シートが重ね合わされ、該第２の帯状シートの上下中間部が前記カード収容部幅を有する折曲片に溶着され、該カード収容部幅を有する折曲片及び前記表紙端部収容部幅を有する折曲片がそれぞれ内側に折り畳まれてその上下端が溶着及び切断されて構成されたことを特徴とする手帳カバー。
【考案の詳細な説明】
【技術分野】
【０００１】
本考案は、薬手帳、その他の手帳、冊子等のカバーとして使用される手帳カバーに関する。
【背景技術】
【０００２】
従来、多用途の機能を付与するとともに、その機能の利便性をも向上させた薬手帳カバーが提案されている（特許文献１）。該登録実用新案公報には、利便性の向上の一つとして、カバー本体の内側面に天縁部方向に開口部を形成したカードポケットを設けた実施例が記載されている。さらに、前記カードポケットは、それぞれ一枚の樹脂製シートをそれぞれ所定の長さ天地方向にずらした状態で重ねられて複数設けられている。
【特許文献１】実用新案登録第３１３４０９２号公報
【考案の開示】
【考案が解決しようとする課題】
【０００３】
前記従来の薬手帳カバーにおける前記カードポケットの構成は、それぞれ一枚の樹脂製シートからなり、一部が重なるように順次地縁部及び両側縁部を溶着して構成している。したがって、カードポケットの構成に極めて手数を要するものであった。
【０００４】
本考案の手帳カバーは、前記従来のカードポケットに該当するカード収容部の構成を手帳カバーの製造とともに行い、製造の容易化を図り、安価な手帳カバーを提供することを目的とする。
【課題を解決するための手段】
【０００５】
前記目的を達成するために、本考案の手帳カバーは、手帳表紙の外側面を覆う幅を有するカバー本体の一側には、カード収容部幅を有する折曲片が連続させられ、他側には表紙端部収容部幅を有する折曲片が連続させられた第１の帯状シートの、前記カード収容部幅を有する折曲片に、該折曲片の外側に少し突出させて第２の帯状シートが重ね合わされ、該第２の帯状シートの上下中間部が前記カード収容部幅を有する折曲片に溶着され、該カード収容部幅を有する折曲片及び前記表紙端部収容部幅を有する折曲片がそれぞれ内側に折り畳まれてその上下端を溶着及び切断して構成したものである。
【考案の効果】
【０００６】
本考案の手帳カバーは、その製造とともにカード収容部が容易に構成され、安価に提供できるものである。
【考案を実施するための最良の形態】
【０００７】
以下に、本考案の実施形態を、図面を参照して詳細に説明する。図１は、本考案に係る手帳カバーＫの製造工程を示す説明図である。
【０００８】
本考案の手帳カバーＫは、中央部に手帳（図示せず）の外側面を覆う幅を有するカバー本体部１の一側の内側に手帳の表紙端部収容部２及びカード収容部３が設けられ、他側の内側に手帳の表紙端部収容部４が形成されたものである。
【０００９】
以下に、本考案の手帳カバーの製造過程を説明する。図中、５は、ロール６に巻回されたポリプロピレン、塩化ビニール等のプラスチックからなる第１の帯状シートであり、手帳の外側面を覆う幅Ｗ１を有する前記カバー本体部１と、その一側にカード収容部幅Ｗ２を有する折曲片７が連続させられ、さらに、他側に表紙端部収容部幅Ｗ３を有する折曲片８が連続させられた幅を有する。
【００１０】
図中、９は、ロール１０に巻回されたポリプロピレン、塩化ビニール等のプラスチックからなる第２の帯状シートであり、前記第１の帯状シート５の前記カード収容部幅Ｗ２の折曲片７に重ね合わせた時に該折曲片７の外側に少し突出する突出部１１が生じる幅Ｗ４を有する。
【００１１】
本考案の手帳カバーＫは、前記第１の帯状シート５と第２の帯状シート９とによって構成される。まず、前記第２の帯状シート９が前記第１の帯状シート５の前記カード収容部幅Ｗ２の折曲片７に重ね合わされ、さらに、前記第２の帯状シート９の上下中間部が前記カード収容部幅Ｗ２を有する折曲片７に溶着１２される（工程Ａ）。
【００１２】
すなわち、前記第１の帯状シート５の前記カード収容部幅Ｗ２を有する折曲部７の全面及び該折曲部７の外側に前記突出部１１を突出させて前記第２の帯状シート７が重ね合わされて前記溶着１２が行われる。この結果、第１の帯状シート５と第２の帯状シート９が一体に構成される。
【００１３】
つぎに、図面実施の一例では、前記第１の帯状シート５及び第２の帯状シート９がそれぞれロール６及び１０に巻回されているため、前記表紙端部収容部２と前記カード収容部３を構成する折曲片７及び前記表紙端部収容部４を構成する折曲片８の予め定められた縦幅位置が切断１３及び１４される（工程Ｂ）。
【００１４】
もっとも、当初から前記第１の帯状シート５のカバー本体部１、折曲片７及び折曲片８と、前記折曲片７に重ね合わされる第２の帯状シート９のサイズが予め切断されている場合には前記切断１３及び１４の工程は不要である。
【００１５】
つぎに、前記カード収容部幅Ｗ２を有する折曲片７及び前記表紙端部収容部幅Ｗ３を有する折曲片８がそれぞれ内側に折り畳まれる（工程Ｃ）。
【００１６】
そしてつぎに、前記カード収容部幅Ｗ２を有する折曲片７及び前記表紙端部収容部幅Ｗ３がそれぞれ内側に折り畳まれた状態において、その上下端を溶着及び切断１５、１５して本考案に係る手帳カバーＴが完成する（工程Ｄ）。なお、該溶着及び切断１５、１５はヒートシールによって同時に行われる。
【００１７】
なお、前記表紙端部収容部２と前記カード収容部３を構成する折曲片７及び前記表紙端部収容部４を構成する折曲片８の切断１３及び１４を、前記上下端の溶着及び切断１５、１５と同時に行うこともできる。この場合には、予め、前記切断１３及び１４を行わずに、工程Ａの状態のままの第１の帯状シート５及び第２の帯状シート９全体を搬送し、その搬送過程で工程Ｂ及び工程Ｃの状態に前記折曲片７及び折曲片８を順次絞りながら折り畳み、最終段階でそれぞれ内側に完全に折り畳むと同時に上下端の溶着及び切断１５、１５を行えばよい。
【００１８】
前記構成の本考案の手帳カバーＫは、前記カード収容部３のカード収容口部に第２の帯状シート９の突出部１１が突出させられており、したがって、カードを容易に滑り収容することができ、また、その後のカードの取り出しも容易である。
【産業上の利用可能性】
【００１９】
本考案に係る手帳カバーは、カード収容部の構成を手帳カバーの製造と同時に行い、製造が容易であり、安価に提供でき、その産業上の利用可能性は大である。
【図面の簡単な説明】
【００２０】
【図１】本考案に係る手帳カバーの製造工程を示す参考図である。
【符号の説明】
【００２１】
１    カバー本体部
５    第１の帯状シート
７    カード収容部幅を有する折曲片
８    表紙端部収容部幅を有する折曲片
９    第２の帯状シート
１２  溶着
【図１】
0003142391.tif 000003